(57)【特許請求の範囲】
【請求項１】
ローパスフィルタを通過した入力信号に、前記ローパスフィルタでは遮断される周波数の高周波音を加算する加算手段と、
前記加算手段からの出力レベルを調整するアナログボリューム手段と、
該アナログボリューム手段の出力から前記高周波音の成分を抽出する抽出手段と、
該抽出手段により抽出された前記高周波音の成分のレベルに応じて前記ローパスフィルタにおける高域の減衰特性を制御する制御手段とを備え、
前記制御手段は、前記加算手段において加算された前記高周波音のレベルＡと、前記抽出手段により抽出された前記高周波音の成分のレベルＡ’とのレベル比Ａ’／Ａを算出して、算出されたレベル比Ａ’／Ａに基づいて、前記ローパスフィルタにおける高域の減衰特性を制御する係数を決定し、決定した係数を前記ローパスフィルタに設定するようにしたことを特徴とする低音増幅回路。
【発明の詳細な説明】
【技術分野】
【０００１】
この発明は、オーディオ再生において、低音の迫力感を増強させる低音増幅回路に関する。
【背景技術】
【０００２】
従来、聴感を改善するために、新たに音響成分を生成し付加する信号処理を行うことが知られている。一般的に周波数拡張と呼ばれる技術では高域成分のみを付加することが多いが、実際の製品においては効果がわかりにくいことから、効果を誰でもわかりやすく認識してもらうために、高域や低域側の拡張も行うようにしている。低域側の拡張を行う従来の低域増強回路１００の回路構成を図６に示し、低域増強回路１００の動作を示す信号の周波数特性の図を図７に示す。
図６に示す低域増強回路１００において、基本周波数検出部１１０は入力された入力信号から基本周波数ｆｓを検出し、検出された基本周波数ｆｓを１／２に分周する。入力信号の不要な高域成分はローパスフィルタ（ＬＰＦ）１１１により取り除かれ、ＬＰＦ１１１の出力に１／２に分周されたｓｉｎ（２πｆｓ／２）の正弦波信号が乗算器１１２により乗算される。
【０００３】
ここで、ＬＰＦ１１１から出力される入力信号の周波数特性を図７（ａ）に示すが、この入力信号は基本周波数ｆｓが含まれる周波数ｆ１から周波数ｆ２の範囲の周波数成分を含んでいる。この入力信号にｓｉｎ（２πｆｓ／２）の正弦波信号を乗算すると、図７（ｂ）に示すように、周波数（ｆ１−ｆｓ／２）から周波数（ｆ２−ｆｓ／２）までの範囲の周波数成分からなる信号Ａと、（ｆ１＋ｆｓ／２）から周波数（ｆ２＋ｆｓ／２）までの範囲の周波数成分からなる信号Ｂとが生成される。そして、乗算器１１２に後続しているＬＰＦ１１３により低域側だけの信号Ａが抽出される。ＬＰＦ１１３から出力される信号Ａが図７（ｃ）に示されている。この信号Ａは、ＡＭＰ１１４により増幅されて元の入力信号に加算器１１５により加算されて出力される。これにより、低域の信号とされる信号Ａが入力信号に付加されて低域が増強されるようになる。
【０００４】
図６に示す低域増強回路１００は、低域増強回路１００のマイクロプログラムを組み込んだＤＳＰにより実現することができる。しかし、入力信号から基本周波数ｆｓを検出する処理が重いという欠点があった。そこで、入力信号から基本周波数ｆｓを検出する処理を不要とした従来の低域増強回路２００が知られている。低域増強回路２００の回路構成を図８に示し、低域増強回路２００の動作を示す波形図を図９に示す。
図８に示す低域増強回路２００は、ＬＰＦ２００により入力信号から不要な広域性分を取り除き分周回路２１１に入力信号を入力している。分周回路２１１は、入力信号における上り方向のゼロクロス点および下り方向のゼロクロス点を検出するゼロクロス検出部と、２ビットのカウンタと、波形を反転する波形反転部を備えている。そして、ゼロクロス検出部がゼロクロス点を検出する毎に２ビットのカウンタが１ずつインクリメントされ、２ビットカウンタのカウント値が「１」「２」の時にだけ波形を波形反転部により反転させる。
【０００５】
例えば、分周回路２１１に入力される入力信号の波形が図９（ａ）に示す波形とされていると、ゼロクロス検出部は図９（ａ）に示すように、時点ｔ１，ｔ２，ｔ３，ｔ４，ｔ５においてゼロクロス点を検出する。すると、図９（ａ）に示すように、２ビットカウンタは時点ｔ１でカウント値が「０」（オーバフローして「０」になる）となり、時点ｔ２でカウント値が「１」となり、時点ｔ３でカウント値が「２」となり、時点ｔ４でカウント値が「３」となる。時点ｔ５ではオーバフローしてカウント値は「０」に戻るようになる。そして、波形反転部は２ビットカウンタのカウント値が「１」「２」の時、すなわち、時点ｔ２−ｔ３の期間、および、時点ｔ３−ｔ４の期間入力信号の波形を反転する。これにより、図９（ｂ）に示すように入力信号の波形が反転される。この分周回路２１１から出力される入力信号の波形を参照すると、期間ｔ１−ｔ２の期間に続いて期間ｔ２−ｔ３の期間の波形が正方向になるよう反転され、また、期間ｔ４−ｔ５の期間の前の期間ｔ３−ｔ４の期間の波形が負方向になるよう反転されることから、分周回路２１１において、入力信号を１／２に分周した信号成分が生成されることになる。
【０００６】
このようにして１／２に分周された入力信号では、波形反転に伴って波形に不連続点が生じ、この不連続点に基づいて高調波成分が発生されるようになる。そこで、分周回路２１１に後続するＬＰＦ２１２により、発生された高調波成分を除去する。なお、ＬＰＦ２１２のカットオフ周波数は、ＬＰＦ２１０のカットオフ周波数よりも高く設定される。また、分周回路２１１の処理により、その出力信号に聴感上不快とされる超低域成分（サブソニック）を含む場合があるので、ＬＰＦ２１２に後続するハイパスフィルタ（ＨＰＦ）２１３により、この超低域成分を除去する。ＨＰＦ２１３のカットオフ周波数は例えば５０Ｈｚに設定される。ＨＰＦ２１３から出力される入力信号は、ＡＭＰ２１４により増幅されて元の入力信号に加算器２１５により加算されて出力される。これにより、分周回路２１１により生成された低域信号が入力信号に付加されて低域が増強されるようになる。このように、分周回路２１１により波形を反転しても加算器２１５からの出力に元の波形の成分は残っていることから、聴感上の問題は生じることなく低域を増強することができる。
【先行技術文献】
【特許文献】
【０００７】
特開２００７−１７８６７５号公報
【発明の概要】
【発明が解決しようとする課題】
【０００８】
従来の低域増強回路２００においては、入力信号の２周期分の波形を単位として検出したゼロクロスの時点に基づいて処理を行うことにより、１周期目の後半の半周期と２周期目の前半の半周期の波形を反転させて、低域成分を生成している。このように、従来の低域増強回路２００では、煩雑な処理を行うことにより低域成分を発生させなければならないという問題点があった。
そこで、本発明は、簡易な構成で低域を増強することのできる低音増幅回路を提供することを目的としている。
【課題を解決するための手段】
【０００９】
上記目的を達成するために、本発明の低音増幅回路は、ローパスフィルタを通過した入力信号に帯域外の周波数の高周波音を加算する加算手段と、前記加算手段からの出力レベルを調整するアナログボリューム手段と、該アナログボリューム手段の出力から前記高周波音の成分を抽出する抽出手段と、該抽出手段により抽出された前記高周波音の成分のレベルに応じて前記ローパスフィルタにおける高域の減衰特性を制御する制御手段とを備え、前記制御手段は、前記加算手段において加算された前記高周波音のレベルＡと、前記抽出手段により抽出された前記高周波音の成分のレベルＡ’とのレベル比Ａ’／Ａを算出して、算出されたレベル比Ａ’／Ａに基づいて、前記ローパスフィルタにおける高域の減衰特性を制御する係数を決定し、決定した係数を前記ローパスフィルタに設定するようにしたことを最も主要な特徴としている。
【発明の効果】
【００１０】
本発明によれば、ローパスフィルタを通過した入力信号に高周波音を加算し、アナログボリューム手段の出力から抽出した高周波音の成分のレベルに応じて、ローパスフィルタにおける高域の減衰特性を制御するようにしている。このことから、アナログボリューム手段の設定値が小さくされるにつれて、簡易な構成で低域を増強することができるようになる。
【図面の簡単な説明】
【００１１】
【図１】本発明の実施例にかかる低音増幅回路を備える音響信号処理装置の構成を示すブロック図である。
【図２】本発明の実施例にかかる低音増幅回路を備える音響信号処理装置の等価的なハードウェアの構成を示すブロック図である。
【図３】本発明の実施例にかかる低音増幅回路のハードウェア構成を示す回路ブロック図である。
【図４】本発明の実施例にかかる低音増幅回路におけるＬＰＦの減衰特性を示す図である。
【図５】本発明の実施例にかかる低音増幅回路における低域増強処理のフローチャートである。
【図６】従来の低音増幅回路の回路構成を示す回路図である。
【図７】従来の低音増幅回路の動作を示す信号の周波数特性の図である。
【図８】従来の他の低音増幅回路の回路構成を示す回路図である。
【図９】従来の他の低音増幅回路の動作を示す波形図である。
【発明を実施するための形態】
【００１２】
本発明の実施例にかかる低音増幅回路を備える音響信号処理装置の構成を示すブロック図を図１に示す。
音響信号処理装置１は、ＣＰＵ（Central Processing Unit）１０が管理プログラム（ＯＳ：Operating System）を実行しており、音響信号処理装置１の全体の動作をＯＳ上で制御している。音響信号処理装置１は、ＣＰＵ１０が実行する制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、制御プログラムを実行することにより、入力された複数の音響信号に音響信号処理をＤＳＰ（ディジタル信号処理装置：Digital Signal Processor）２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。
【００１３】
表示ＩＦ１３は、液晶表示器等の表示部１４に音響信号処理に関する種々の画面を表示させる表示インタフェースである。検出ＩＦ１５は、音響信号処理装置１のパネルに設けられているフェーダ、ノブやスイッチ等の操作子１６をスキャンして、操作子１６に対する操作を検出しており、検出された操作信号に基づいて音響信号処理に用いるパラメータの編集や操作を行うことができる。通信ＩＦ１７は、通信Ｉ／Ｏ１８を介して外部機器と通信を行うための通信インタフェースであり、イーサネット（登録商標）などのネットワーク用のインタフェースとされる。エフェクタ（ＥＦＸ）１９はＣＰＵ１０の制御の基で、ミキシングされたオーディオ信号にリバーブ、エコーやコーラス等のエフェクトを付加している。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御する音響信号処理を行っている。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介してデータ等の授受を行っている。
【００１４】
ＥＦＸ１９およびＤＳＰ２０は音声バス２５を介してＡＤ２２、ＤＡ２３、ＤＤ２４とデータ等の授受を行っている。ＡＤ２２は、音響信号処理装置１にアナログ信号を入力する複数のアナログ入力ポートであり、ＡＤ２２において入力されたアナログ入力信号はディジタル信号に変換されて音声バス２５に送出される。ＤＡ２３は、音響信号処理装置１からミキシングされた混合信号を外部へ出力する複数のアナログ出力ポートであり、ＤＡ２３において音声バス２５を介して受け取ったディジタル出力信号はアナログ信号に変換されて、会場やステージに配置されたスピーカから出力される。ＤＤ２４は、音響信号処理装置１にディジタル信号を入力すると共に、外部にミキシングされたディジタル信号を出力する複数のディジタル入力／出力ポートであり、ＤＤ２４において入力されたディジタル入力信号は音声バス２５に送出され、音声バス２５を介して受け取ったディジタル出力信号はディジタルレコーダ等に出力される。なお、ＡＤ２２およびＤＤ２４から音声バス２５へ送出されたディジタル信号はＤＳＰ２０が受け取って上記したディジタル信号処理が施される。そして、ＤＳＰ２０に低音増幅回路のマイクロプログラムを組み込むことにより、ＤＳＰ２０が低音増幅回路としても動作するようになる。これにより、ＤＳＰ２０から音声バス２５に送出された低域増強された音響信号であるディジタル信号をＤＡ２３が受け取って、スピーカ等から放音することができるようになる。
【００１５】
次に、本発明の実施例にかかる音響信号処理装置１の等価的なハードウェア構成を示すブロック図を図２に示す。
図２において、複数のアナログ入力ポート（ＡＤ２２）に入力された複数のアナログ信号はディジタル信号に変換されて入力パッチ（Input Patch）３０に入力される。また、複数のディジタル入力ポート（ＤＤ２４）に入力された複数のディジタル信号は、そのまま入力パッチ３０に入力される。入力パッチ３０では、信号の入力元である複数の入力ポートの何れか１つの入力ポートを、Ｎチャンネル（Ｎは１以上の整数：例えば９６チャンネル）とされる入力チャンネル部３１の各入力チャンネル（Input Channel）３１−１，３１−２，３１−３，・・・・，３１−Ｎに選択的にパッチ（結線）している。各入力チャンネル３１−１〜３１−Ｎには、入力パッチ３０でパッチされた入力ポートからのオーディオ信号In.1,In.2,In.3,・・・,In.Nがそれぞれ供給される。各入力チャンネル３１−１〜３１−Ｎでは、各入力チャンネルに入力された音響信号In.1,In.2,In.3,・・・,In.Nの音響特性等が調整される。すなわち、入力チャンネル部３１における各入力チャンネル３１−１〜３１−Ｎに入力された各入力チャンネル信号は、入力チャンネル毎にイコライザやコンプレッサにより音響信号の特性が調整されると共に送り出しレベルが制御されてＭ本（Ｍは１以上の整数）の混合バス（Mix Bus）３５およびＬ，Ｒのステレオのキューバス（Cue Bus）３６へ送出される。この場合、入力チャンネル部３１から出力されるＮ入力チャンネル信号は、Ｍ本の混合バス３５の１ないし複数に選択的に出力される。
【００１６】
混合バス３５においては、Ｍ本の各バスにおいて、Ｎ入力チャンネルのうちの任意の入力チャンネルから選択的に入力された１ないし複数の入力チャンネル信号が混合されて、合計Ｍ通りの混合出力が出力される。Ｍ本の混合バス３５の各バスからの混合出力は、Ｍチャンネルとされる出力チャンネル部３２の各出力チャンネル（Output Channel）３２−１，３２−２，３２−３，・・・・，３２−Ｍにそれぞれ出力される。各出力チャンネル３２−１〜３２−Ｍでは、イコライザやコンプレッサにより周波数バランス等の音響信号の特性が調整されて、出力チャンネル信号Mix.1,Mix.2,Mix.3,・・・,Mix.Mとして出力され、このＭ出力チャンネル信号Mix.1〜Mix.Mは、出力パッチ（Output Patch）３４に出力される。また、Ｌ，Ｒのキューバス（Cue Bus）３６においてはＮ入力チャンネルのうちの任意の入力チャンネルから選択的に入力された１ないし複数の入力チャンネル信号が混合されたキュー／モニタ用の信号がキュー／モニタ部（Cue/Monitor）３３に出力される。キュー／モニタ部３３おいてイコライザやコンプレッサにより周波数バランス等の音響信号の特性が調整されたキュー／モニタ出力（Cue/monitor）は、出力パッチ３４に出力される。
【００１７】
出力パッチ３４では、出力チャンネル部３２からのＭ出力チャンネル信号Mix.1〜Mix.Mおよびキュー／モニタ部３３からのキュー／モニタ出力の何れかを、複数の出力ポートのいずれかに選択的にパッチ（結線）することができ、各出力ポートには、出力パッチ３４でパッチされた出力チャンネル信号が供給される。出力ポートにおいて、ディジタルの出力チャンネル信号はアナログ出力信号に変換され、アンプにより増幅されて会場に配置された複数のスピーカから放音される。さらに、このアナログ出力信号はステージ上のミュージシャン等が耳に装着するインイヤーモニタに供給されたり、その近傍に置かれたステージモニタスピーカで再生される。また、出力パッチ３４から出力されるディジタルの音響信号は、レコーダや外部接続されたＤＡＴ等に供給されてディジタル録音することができるようにされている。また、キュー／モニタ出力は出力パッチ３４でアサインされた出力ポートにおいてアナログの音響信号に変換され、オペレータルームに配置されたモニタ用スピーカやオペレータが装着するヘッドホン等から出力されてオペレータが検聴できるようになる。
【００１８】
ＤＳＰ２０は複数のＤＳＰチップからなり、この複数のＤＳＰチップがそれぞれマイクロプログラムに従った音響信号処理を実行することにより、図２に示す構成の音響信号処理装置１において音響信号処理が実行されるようになる。この場合、ＤＳＰ２０に低音増幅処理のマイクロプログラムを組み込むことにより、ＤＳＰ２０が低音増幅回路として動作するようになる。ＤＳＰ２０により実現される低音増幅回路の等価的なハードウェア構成を示す回路ブロック図を図３に示す。
図３に示す低音増幅回路２おいて、入力信号部４０からのディジタルの音響信号は、ローパスフィルタ（ＬＰＦ）４１により高域成分が減衰され、相対的に減衰されない低域成分が増強されるようになる。このＬＰＦ４１においては、係数を変更すると高域成分を減衰する減衰特性が可変され、設定される係数に応じて高域成分を減衰する度合いを制御することができる。ＬＰＦ４１からの出力には、高周波音発生部４２から出力されたディジタルの高周波音が、加算器４３により加算される。この高周波音の周波数は、ほぼ可聴帯域外の周波数、例えば１６ｋＨｚとされ、高周波音のレベルはＡｄＢとされる。加算器４３からの加算出力は、ディジタル／アナログ変換器（Ｄ／Ａ）４４によりアナログ信号に変換され、Ｄ／Ａ４４から出力される音響信号の音量レベルがアナログボリューム４５により制御される。アナログボリューム４５からの出力信号は、ＬＰＦ４６に入力されて加算された高周波音の成分が除去され、ＬＰＦ４６の出力信号は出力信号部４７からスピーカに出力する増幅器に出力される。
【００１９】
また、アナログボリューム４５からの出力信号は分岐されてハイパスフィルタ（ＨＰＦ）４８に印加され、ＨＰＦ４８において加算器４３により加算された高周波音の成分だけが抽出される。ＨＰＦ４８から出力された高周波音の成分のレベルはレベルＡ’とされ、簡易な構成のアナログ／ディジタル変換器（Ａ／Ｄ）４９によりディジタル信号に変換される。ＣＰＵ１０は、Ａ／Ｄ４９から出力されたレベルＡ’の高周波音と、加算器４３により加算されたレベルＡの高周波音とのレベル比Ａ’／Ａを算出する。さらに、算出したレベル比Ａ’／Ａに対応したＬＰＦ４１の係数を決定してＤＳＰ２０に送る。ＤＳＰ２０は送られた係数をＬＰＦ４１に設定して入力信号にＬＰＦ４１の処理を施すことにより、設定された係数に応じて入力信号の高域の減衰特性が制御されるようになる。これにより、レベル比Ａ’／Ａに応じて入力信号の低域が増強されるようになる。
【００２０】
図４にＬＰＦ４１の減衰特性を示すが、横軸が周波数で縦軸が出力レベルとされており、ＬＰＦ４１に設定される係数に応じて減衰特性を変化させることができる。例えば、減衰特性ａではほとんど高域成分は減衰されず、減衰特性ｂでは高域成分がやや減衰され、減衰特性ｃでは高域成分が大きく減衰され、減衰特性ｄでは高域成分がさらに大きく減衰される。この場合、レベル比Ａ’／Ａの値が小さくなるに従って減衰特性ａから減衰特性ｄに向かうように減衰特性が制御され、レベル比Ａ’／Ａが小さくなるにつれて高域成分を減衰させる度合いが大きい減衰特性とされる。これは、レベル比Ａ’／Ａの値が大きい場合はアナログボリューム４５が大きくされていることから、大きなレベルの信号が出力信号部４７から増幅器に出力されることになる。この場合に、低域を増強させるとより大きなレベルの信号が出力信号部４７から増幅器に出力されて、増幅器やスピーカを破壊する恐れが生じる。
【００２１】
これに対して、レベル比Ａ’／Ａの値が小さい場合はアナログボリューム４５が絞られていることから、小さなレベルの信号が出力信号部４７から増幅器に出力されていることになる。この場合は、低域を増強させても増幅器やスピーカを破壊するような大きなレベルの信号が出力信号部４７から増幅器に出力されることはない。このことから、レベル比Ａ’／Ａの値が小さくなるにつれて高域成分を減衰させる度合いが大きい減衰特性の係数がＬＰＦ４１に設定されるようになる。従って、レベル比Ａ’／Ａの値が小さくなるに従って出力信号部４７から増幅器に出力される信号の低域が増強されるようになる。
なお、加算器４３により加算される高周波音のレベルをＡｄＢに固定することにより、レベル比Ａ’／Ａを算出することなくレベルＡ’の値が小さくなるにつれて高域成分を減衰させる度合いが大きい減衰特性の係数をＬＰＦ４１に設定することができる。また、本発明にかかる低音増幅回路２においては、従来の増幅回路に高周波音発生部４２およびＨＰＦ４８とＡ／Ｄ４９とを付加した構成とされている。この付加した構成により、高周波音を入力信号に加算されて、縦続接続されたＨＰＦ４８とＡ／Ｄ４９の出力からアナログボリューム４５を通過した後の高周波音のレベルを検出することでき、この高周波音のレベルからアナログボリューム４５の設定値を得るようにしている。
【００２２】
次に、所定周期毎に起動される低音増幅処理のフローチャートを図５に示す。
低音増幅処理が起動されると、ステップＳ１０にて入力されたディジタルの入力信号にほぼ可聴帯域外のレベルＡｄＢのディジタルの高周波音信号が加算される。次いで、加算されたディジタル信号をアナログボリュームによりレベルを変更できるようにステップＳ１１にてＤ／Ａ変換処理を行う。Ｄ／Ａ変換処理されたアナログ信号の音量は、アナログボリュームにより変更され、ステップＳ１３にてアナログボリュームからの出力にＨＰＦ処理を施して入力信号に加算された高周波音信号の成分のみを抽出する。ＨＰＦ処理により抽出された高周波音の信号成分は、ディジタル値を扱うためにステップＳ１３にてＡ／Ｄ変換処理される。そして、Ａ／Ｄ変換処理されたＨＰＦ処理により抽出された高周波音成分のレベルＡ’がステップＳ１４にて検出される。次いで、加算された高周波音信号のレベルＡと、ＨＰＦ処理により抽出された高周波音成分のレベルＡ’とのレベル比Ａ’／ＡがステップＳ１５にて算出される。さらに、ステップＳ１６にてレベル比Ａ’／Ａの値に基づいて、入力信号にＬＰＦ処理を施すＬＰＦの係数を決定する。この場合のＬＰＦの減衰特性は図４に示すようになり、レベル比Ａ’／Ａの値が小さくなるにつれて高域成分を減衰させる度合いが大きい減衰特性の係数となる。次いで、ステップＳ１７にて入力信号に加算した高周波音信号を削除するために、全体の出力信号にＬＰＦ処理を行って出力し、低音増幅処理は終了する。この低音増幅処理が所定周期毎に行われることにより、レベル比Ａ’／Ａの値が小さくなるに従って出力信号の低域が増強されるようになる。
【産業上の利用可能性】
【００２３】
以上説明した本発明の低音増幅回路は、音響信号処理装置に適用するとしたが、これに限ることはなく音響信号を出力する電子機器一般に適用することができる。
なお、高周波音発生部４２において発生される高周波音の周波数は、ほぼ可聴帯域外の周波数、例えば１６ｋＨｚとしたが、これに限ることはなくＬＰＦ４１およびＬＰＦ４６においてほぼ遮断される周波数であればよい。
【符号の説明】
【００２４】
１  音響信号処理装置、２  低音増幅回路、１０  ＣＰＵ、１１  ＲＯＭ、１２  ＲＡＭ、１３  表示ＩＦ、１４  表示部、１５  検出ＩＦ、１６  操作子、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、２６  プラグイン、３０  入力パッチ、３１  入力チャンネル部、３２  出力チャンネル部、３３  モニタ部、３４  出力パッチ、３５  混合バス、３６  キューバス、４０  入力信号部、４１  ＬＰＦ、４２  高周波音発生部、４３  加算器、４４  ディジタル／アナログ変換器、４５  アナログボリューム、４６  ＬＰＦ、４７  出力信号部、４８  ＨＰＦ、４９  アナログ／ディジタル変換器、１００  低域増強回路、１１０  基本周波数検出部、１１２  乗算器、１１５  加算器、２００  低域増強回路、２１１  分周回路、２１５  加算器
【図１】
0005521762.tif 000002
【図２】
0005521762.tif 000003
【図３】
0005521762.tif 000004
【図４】
0005521762.tif 000005
【図５】
0005521762.tif 000006
【図６】
0005521762.tif 000007
【図７】
0005521762.tif 000008
【図８】
0005521762.tif 000009
【図９】
0005521762.tif 000010